(57)【要約】【課題】電子機器に対するリモコン装置の操作性を向上させることが可能な電子機器を提供する。【解決手段】このテレビジョン装置１００（リモコン操作可能な電子機器）は、十字キー６１（操作ボタン６１ａ〜６１ｄ）および決定ボタン６２からなるリモコン装置６０と、映像を表示する表示部１１と、十字キー６１および決定ボタン６２により操作可能な複数の操作ボタン画像７５を含むリモコン画像７０を表示部１１に表示させる制御を行う制御部２７とを備える。そして、リモコン装置６０による機器操作がリモコン画像７０を介して受付可能に構成されているとともに、リモコン装置６０の操作ボタンの数（合計５個）は、リモコン画像７０の操作ボタン画像７５の数よりも少ない。【選択図】図１
2013243569.tif 000002
【特許請求の範囲】
【請求項１】
第１操作ボタンを含むリモコン装置と、
映像を表示する表示部と、
前記第１操作ボタンにより操作可能な複数の第２操作ボタン画像を含むリモコン画像を前記表示部に表示させる制御を行う制御部とを備え、
前記リモコン装置による機器操作が前記リモコン画像を介して受付可能に構成されているとともに、前記リモコン装置の第１操作ボタンの数は、前記リモコン画像の第２操作ボタン画像の数よりも少ない、リモコン操作可能な電子機器。
【請求項２】
前記リモコン装置の第１操作ボタンは、前記リモコン画像内の前記複数の第２操作ボタン画像間を移動して前記第２操作ボタン画像を個別に選択可能な選択ボタンと、選択された前記第２操作ボタン画像に対応した機器操作の実行を決定する決定ボタンとからなる、請求項１に記載のリモコン操作可能な電子機器。
【請求項３】
前記選択ボタンは、前記第２操作ボタン画像の選択先を前記リモコン画像内で縦横に移動させることが可能なキーであり、
前記キーにより選択された前記第２操作ボタン画像に対する前記決定ボタンの押下に基づいて、前記リモコン装置による機器操作が完結されるように構成されている、請求項２に記載のリモコン操作可能な電子機器。
【請求項４】
前記選択ボタンを構成する前記キーは、十字状に配置されている、請求項３に記載のリモコン操作可能な電子機器。
【請求項５】
前記制御部は、前記決定ボタンが押下されたことに基づいて、前記リモコン画像の前記表示部における表示を終了する制御を行うように構成されている、請求項２〜４のいずれか１項に記載のリモコン操作可能な電子機器。
【請求項６】
前記制御部は、前記リモコン装置の第１操作ボタンが押下されたことに基づいて、前記リモコン画像を前記表示部に表示して前記リモコン装置による機器操作を受付可能な状態に移行させる制御を行うように構成されている、請求項１〜５のいずれか１項に記載のリモコン操作可能な電子機器。
【請求項７】
前記制御部は、前記表示部の映像の動きが相対的に少ない領域に前記リモコン画像を表示させる制御を行うように構成されている、請求項１〜６のいずれか１項に記載のリモコン操作可能な電子機器。
【請求項８】
前記制御部は、前記映像の遷移に伴い遷移される前記表示部の映像の動きが相対的に少ない領域内に前記リモコン画像が表示されるように、前記リモコン画像の表示位置を移動させる制御を行うように構成されている、請求項７に記載のリモコン操作可能な電子機器。
【請求項９】
前記制御部は、前記表示部の映像の動きが相対的に少ない領域の形状に応じて前記領域内に前記リモコン画像が収まるように、前記リモコン画像の向きを変更して前記表示部に表示させる制御を行うように構成されている、請求項７または８に記載のリモコン操作可能な電子機器。
【請求項１０】
前記制御部は、前記表示部の映像の動きが相対的に少ない領域の形状に応じて前記領域内に前記リモコン画像が収まるように、前記リモコン画像の縮尺率を調整して前記表示部に表示させる制御を行うように構成されている、請求項７〜９のいずれか１項に記載のリモコン操作可能な電子機器。
【請求項１１】
前記制御部は、前記電子機器の動作内容に応じて、前記リモコン画像に含まれる前記複数の第２操作ボタン画像のうちの機器操作が有効な前記第２操作ボタン画像を前記第１操作ボタンにより操作可能に前記表示部に表示させる制御を行うように構成されている、請求項１〜１０のいずれか１項に記載のリモコン操作可能な電子機器。
【請求項１２】
外部機器が接続可能に構成されており、
前記制御部は、前記外部機器が接続された場合に前記外部機器に対応するリモコン画像を前記表示部に表示させる制御を行うように構成されており、
前記リモコン装置により、接続された前記外部機器に対応するリモコン画像を介して前記外部機器に対する機器操作が受付可能に構成されている、請求項１〜１１のいずれか１項に記載のリモコン操作可能な電子機器。
【発明の詳細な説明】
【技術分野】
【０００１】
この発明は、リモコン操作可能な電子機器に関し、特に、リモコン装置と、リモコン画像が表示される表示部とを備えるリモコン操作可能な電子機器に関する。
【背景技術】
【０００２】
従来、リモコン装置と、リモコン画像が表示される表示部とを備えるリモコン操作可能な電子機器が知られている（たとえば、特許文献１参照）。
【０００３】
上記特許文献１には、表示部を備え、複数の操作ボタンを有するリモコン装置により操作されるテレビジョン装置などの電子装置が開示されている。この電子装置では、操作ボタン群を含むリモコン装置全体を忠実に模したリモコン画像が表示部に表示されるとともに、ユーザが手元のリモコン装置の操作ボタンを押圧（押下）した際、押圧された操作ボタンに対応する操作ボタン画像に操作内容が反映されるように構成されている。これにより、ユーザは、表示部のリモコン画像を見ながら手元のリモコン装置を操作して電子装置に対する所定の機器操作を行うことが可能とされている。
【先行技術文献】
【特許文献】
【０００４】
【特許文献１】特開２００７−５８５６９号公報
【発明の概要】
【発明が解決しようとする課題】
【０００５】
しかしながら、上記特許文献１に記載の電子装置では、リモコン装置全体を忠実に模したリモコン画像が表示部に表示されたとしても、ユーザは、手元のリモコン装置をその都度見て操作ボタンを個々に確認しながらボタン操作（ボタンの押下）を行うことに変わりはない。したがって、電子装置（電子機器）の多機能化とともにリモコン装置の操作ボタンの数が増えた場合には、ユーザは手元の操作ボタンを探し回らなくてはならず、リモコン装置の操作性が低下するという問題点がある。
【０００６】
この発明は、上記のような課題を解決するためになされたものであり、この発明の１つの目的は、リモコン操作可能な電子機器に対するリモコン装置の操作性を向上させることである。
【課題を解決するための手段】
【０００７】
この発明の一の局面によるリモコン操作可能な電子機器は、第１操作ボタンを含むリモコン装置と、映像を表示する表示部と、第１操作ボタンにより操作可能な複数の第２操作ボタン画像を含むリモコン画像を表示部に表示させる制御を行う制御部とを備え、リモコン装置による機器操作がリモコン画像を介して受付可能に構成されているとともに、リモコン装置の第１操作ボタンの数は、リモコン画像の第２操作ボタン画像の数よりも少ない。
【０００８】
この発明の一の局面によるリモコン操作可能な電子機器では、上記のように、リモコン装置による機器操作がリモコン画像を介して受付可能に構成されているとともに、リモコン装置の第１操作ボタンの数が、リモコン画像の第２操作ボタン画像の数よりも少ないことによって、ユーザは、表示部に表示されるリモコン画像よりも操作ボタンの数が少なくされたリモコン装置を用いて、電子機器に対する様々な機器操作を行うことができる。これにより、リモコン装置によりリモコン画像を介して機器操作を行う場合においても、リモコン装置の操作性を向上させることができる。また、第１操作ボタンの数が少なくなる分、リモコン装置の構造が簡素化されるとともにリモコン装置の小型化を図ることができる。
【０００９】
上記一の局面によるリモコン操作可能な電子機器において、好ましくは、リモコン装置の第１操作ボタンは、リモコン画像内の複数の第２操作ボタン画像間を移動して第２操作ボタン画像を個別に選択可能な選択ボタンと、選択された第２操作ボタン画像に対応した機器操作の実行を決定する決定ボタンとからなる。このように構成すれば、所定の機器操作を行う際のリモコン装置の操作内容を、選択ボタンを用いてリモコン画像内の第２操作ボタン画像を探す操作と、決定ボタンを用いて選択された第２操作ボタン画像に対応する実際の機器操作を実行させるための操作との２種類の操作のみに限定することができる。この結果、２種類の操作以外の操作を行う必要がないので、リモコン装置の操作性を著しく向上させることができる。
【００１０】
上記第１操作ボタンが選択ボタンおよび決定ボタンからなる構成において、好ましくは、選択ボタンは、第２操作ボタン画像の選択先をリモコン画像内で縦横に移動させることが可能なキーであり、このキーにより選択された第２操作ボタン画像に対する決定ボタンの押下に基づいて、リモコン装置による機器操作が完結されるように構成されている。このように構成すれば、上記キーを用いてリモコン画像内の第２操作ボタン画像を探す操作が容易に行われ、かつ、選択された第２操作ボタン画像に対する決定ボタンの押下に基づいて１つの機器操作を完結させることができる。すなわち、このキーの操作と決定ボタンの押下操作との簡単な組み合わせによって１つの機器操作が行われているので、リモコン操作に不慣れなユーザにとっても、使いやすいリモコン装置を提供することができる。
【００１１】
この場合、好ましくは、選択ボタンを構成するキーは、十字状に配置されている。このように構成すれば、十字状に配置されたキーを用いて選択先を縦横に移動しながらリモコン画像内の第２操作ボタン画像を探す操作を円滑に行うことができる。なお、本発明における「十字状に配置されたキー」は、上方向キー、下方向キー、左方向キーおよび右方向キーの独立した４つの選択ボタン（操作キー）によって構成されている場合と、４つの選択ボタンが一体化された１つの操作キー部材によって構成され、この一体型の操作キー部材が上下／左右方向に倒されることによって選択先が縦横に移動される場合とを含む。
【００１２】
上記第１操作ボタンが選択ボタンおよび決定ボタンからなる構成において、好ましくは、制御部は、決定ボタンが押下されたことに基づいて、リモコン画像の表示部における表示を終了する制御を行うように構成されている。このように構成すれば、決定ボタンが押下されて所定の機器操作が電子機器に対して実行された後は、表示部からリモコン画像がいち早く消されるので、ユーザは、映像を快適に視聴することができる。また、リモコン画像が消えることにより、ユーザは、所定の機器操作が実行されたことを容易に認識することができる。
【００１３】
上記一の局面によるリモコン操作可能な電子機器において、好ましくは、制御部は、リモコン装置の第１操作ボタンが押下されたことに基づいて、リモコン画像を表示部に表示してリモコン装置による機器操作を受付可能な状態に移行させる制御を行うように構成されている。このように構成すれば、リモコン装置による機器操作を開始する際に、限られた数の第１操作ボタンを有効に利用してリモコン画像を表示部に表示させることができる。
【００１４】
上記一の局面によるリモコン操作可能な電子機器において、好ましくは、制御部は、表示部の映像の動きが相対的に少ない領域にリモコン画像を表示させる制御を行うように構成されている。このように構成すれば、リモコン画像を介して機器操作を行う際、ユーザは、映像の視聴に極力支障を来たすことなく機器操作を遂行することができる。
【００１５】
上記制御部が映像の動きが相対的に少ない領域にリモコン画像を表示させる制御を行う構成において、好ましくは、制御部は、映像の遷移に伴い遷移される表示部の映像の動きが相対的に少ない領域内にリモコン画像が表示されるように、リモコン画像の表示位置を移動させる制御を行うように構成されている。このように構成すれば、映像内容が時間経過とともに遷移する場合においても、常に、映像の視聴に極力支障を来たさない領域にリモコン画像を表示させることができるので、ユーザは、映像の快適な視聴を継続的に維持しながら機器操作を行うことができる。
【００１６】
上記制御部が映像の動きが相対的に少ない領域にリモコン画像を表示させる制御を行う構成において、好ましくは、制御部は、表示部の映像の動きが相対的に少ない領域の形状に応じてこの領域内にリモコン画像が収まるように、リモコン画像の向きを変更して表示部に表示させる制御を行うように構成されている。このように構成すれば、リモコン画像が表示部の映像の動きが相対的に少ない領域から相対的に多い領域にまではみ出した状態で表示されることを抑制することができるので、映像の快適な視聴を損ねることなく機器操作を遂行することができる。
【００１７】
上記制御部が映像の動きが相対的に少ない領域にリモコン画像を表示させる制御を行う構成において、好ましくは、制御部は、表示部の映像の動きが相対的に少ない領域の形状に応じてこの領域内にリモコン画像が収まるように、リモコン画像の縮尺率を調整して表示部に表示させる制御を行うように構成されている。このように構成すれば、リモコン画像が表示部の映像の動きが相対的に少ない領域から相対的に多い領域にまではみ出した状態で表示されることを容易に抑制することができるので、映像の快適な視聴を損ねることなく機器操作を遂行することができる。
【００１８】
上記一の局面によるリモコン操作可能な電子機器において、好ましくは、制御部は、電子機器の動作内容に応じて、リモコン画像に含まれる複数の第２操作ボタン画像のうちの機器操作が有効な第２操作ボタン画像を第１操作ボタンにより操作可能に表示部に表示させる制御を行うように構成されている。このように構成すれば、リモコン装置を用いて機器操作の有効な第２操作ボタン画像のみを操作することができるので、電子機器に対して無効な機器操作が行われる状況を容易に排除することができる。
【００１９】
上記一の局面によるリモコン操作可能な電子機器において、好ましくは、外部機器が接続可能に構成されており、制御部は、外部機器が接続された場合に外部機器に対応するリモコン画像を表示部に表示させる制御を行うように構成されており、リモコン装置により、接続された外部機器に対応するリモコン画像を介して外部機器に対する機器操作が受付可能に構成されている。このように構成すれば、装置構成が簡素化された本発明のリモコン装置を用いて、この電子機器に接続される外部機器に対する機器操作も行うことができる。すなわち、複数の操作対象機器に対して本発明のリモコン装置を共通に用いることができるので、ユーザの利便性を図ることができる。
【発明の効果】
【００２０】
本発明によれば、上記のように、リモコン装置によりリモコン画像を介して機器操作を行う場合においても、リモコン装置の操作性を向上させることができる。また、リモコン装置の構造が簡素化されるとともにリモコン装置の小型化を図ることができる。
【図面の簡単な説明】
【００２１】
【図１】本発明の一実施形態によるテレビジョン装置においてリモコン装置を使用して機器操作が行われる様子を示した図である。
【図２】本発明の一実施形態によるテレビジョン装置の制御構成を示したブロック図である。
【図３】本発明の一実施形態によるテレビジョン装置の表示部に表示されるリモコン画像を示した図である。
【図４】本発明の一実施形態によるテレビジョン装置においてＤＶＤプレーヤを操作する際に表示部に表示されるリモコン画像を示した図である。
【図５】本発明の一実施形態によるテレビジョン装置の表示部にリモコン画像が表示される態様（表示例１）を示した図である。
【図６】本発明の一実施形態によるテレビジョン装置の表示部にリモコン画像が表示される態様（表示例２）を示した図である。
【図７】本発明の一実施形態によるテレビジョン装置においてリモコン装置を使用して機器操作が行われる際の制御部の処理フローを示した図である。
【発明を実施するための形態】
【００２２】
以下、本発明を具体化した実施形態を図面に基づいて説明する。
【００２３】
図１〜図６を参照して、本発明の一実施形態によるテレビジョン装置１００の構成について説明する。なお、テレビジョン装置１００は、本発明の「リモコン操作可能な電子機器」の一例である。
【００２４】
本発明の一実施形態によるテレビジョン装置１００は、図１に示すように、装置本体１０と、装置本体１０を下方から支持するスタンド９０とを備えている。また、装置本体１０は、静止画および動画を含む映像を表示する表示部（液晶ディスプレイ）１１と、表示部１１よりも下部に配置された一対のスピーカ部１２とを含んでいる。また、テレビジョン装置１００は、リモコン装置６０を備えており、ユーザが離れた位置から装置本体１０に対する機器操作（リモコン操作）を行うことが可能に構成されている。
【００２５】
また、装置本体１０は、図２に示すように、表示部１１を保持する筐体１３（図１参照）の内部に配置された制御回路部２０（１点鎖線で示す）を備えている。制御回路部２０は、アンテナ５０を介してテレビジョン放送波を受信するチューナ部２１と、ＨＤＭＩ規格に対応した接続ケーブル４１を介して外部機器が接続される外部信号入力部２２ａ〜２２ｃと、信号の入力元をチューナ部２１または外部信号入力部２２ａ〜２２ｃに接続される外部機器のいずれかに切換可能な入力信号切換部２３と、入力信号切換部２３からの映像信号処理を行う映像処理部２４と、入力信号切換部２３からの音声信号処理を行う音声処理部２５と、オンスクリーン情報を映像信号に加算して表示部１１に出力するＯＳＤ部２６とを有している。なお、図２においては、外部機器として１台のＤＶＤプレーヤ２００が接続ケーブル４１を介して外部信号入力部２２ａに接続される例を示している。なお、ＤＶＤプレーヤ２００は、本発明の「外部機器」の一例である。
【００２６】
また、入力信号切換部２３は、チューナ部２１または外部信号入力部２２ａに接続されたＤＶＤプレーヤ２００などからの入力信号を、映像処理部２４および音声処理部２５に送出する機能を有している。映像処理部２４は、入力信号切換部２３から送出された映像信号に対して各種処理を行う機能を有している。これにより、映像信号は、映像処理部２４においてデジタル／アナログ（ＤＡ）変換処理が行われた後に表示部１１に出力される。音声処理部２５は、入力信号切換部２３から転送された音声信号に対して各種処理を行う機能を有している。これにより、音声信号は、音声処理部２５においてＤＡ変換処理が行われた後にスピーカ部１２から出力される。また、後述する制御部２７の制御に基づいてＯＳＤ部２６から表示部１１に出力されるオンスクリーン情報には、文字情報に加えて、所定のデザインからなる画像情報なども含まれている。
【００２７】
また、図２に示すように、制御回路部２０は、上述の構成要素に加えて、ＣＰＵからなる制御部２７と、メモリ部２８と、リモコン装置６０からの操作信号（リモコン信号）を受信する操作信号受信部２９とを有している。
【００２８】
制御部２７は、装置本体１０の制御を司る機能を有している。メモリ部２８には、制御部２７が実行するテレビジョン装置１００の制御プログラムなどが書き換え不可の状態で格納されている。また、メモリ部２８には、制御プログラムが実行される際に使用される制御上のパラメータなどを一時的に保存する作業用メモリ領域が設けられている。なお、操作信号受信部２９が受信する操作信号は、ユーザがリモコン装置６０を使用して送信した赤外線信号（ＩＲ信号）が電気的な信号に変換された電気信号のことを示している。
【００２９】
ここで、本実施形態では、図１に示すように、テレビジョン装置１００は、リモコン装置６０による機器操作が、表示部１１に表示されるリモコン画像７０を介して受付可能に構成されている。すなわち、ユーザがリモコン装置６０による機器操作を行う際、制御部２７（図２参照）による制御動作に基づいて表示部１１の所定の位置（たとえば位置Ｐ）にリモコン画像７０が表示されるように構成されている。そして、ユーザが手元のリモコン装置６０を操作することによって、表示部１１内のリモコン画像７０が擬似的に操作されることにより、テレビジョン装置１００に対する機器操作を行うことが可能に構成されている。以下、この点について詳細に説明する。
【００３０】
リモコン画像７０は、元となる画像データがメモリ部２８（図２参照）に予め記憶されている。また、リモコン画像７０は、制御部２７の指令に基づいてＯＳＤ部２６（図２参照）によって表示部１１（図２参照）に出力されるように構成されている。
【００３１】
また、図３に示すように、表示部１１（図１参照）に表示されるリモコン画像７０は、複数の操作ボタン画像を含んでいる。たとえば、視聴番組の選局（ダイレクト選局）時に操作される１２個のチャンネルボタン画像７１、音声ボリュームの調整（アップ／ダウン）時に操作される音量ボタン画像７２、主音声／副音声の切換時に操作される音声切換ボタン画像７３、リモコン装置６０による操作対象機器をテレビジョン装置１００（図１参照）からＤＶＤプレーヤ２００（図１参照）などの外部機器に切り換える際に操作される入力切換ボタン画像７４などである。以下の説明では、特別な箇所を除いて、上記例示した個々のボタン画像を操作ボタン画像７５として記載する。なお、操作ボタン画像７５は、本発明の「第２操作ボタン画像」の一例である。また、図１および図３〜図６に図示されたリモコン画像７０においては、図示の都合上、全ての操作ボタン画像に符号を付していないが、符号が付されていない操作ボタン画像も符号が付された操作ボタン画像７５と同様に扱われる。
【００３２】
一方、リモコン装置６０は、図１に示すように、表示部１１に表示されるリモコン画像７０を擬似的に操作するための物理的な装置として備えられている。また、リモコン装置６０は、選択先を縦横に移動可能な４つの選択ボタン（上方向操作ボタン６１ａ、下方向操作ボタン６１ｂ、右方向操作ボタン６１ｃおよび左方向操作ボタン６１ｄ）からなる十字キー６１と、十字キー６１の略中央（中心）部に配置された１つの決定ボタン６２とが、操作面６０ａに配置されて構成されている。また、リモコン装置６０には、操作信号（リモコン信号）を送信する送信部６３が設けられている。なお、十字キー６１および決定ボタン６２は、本発明の「第１操作ボタン」の一例である。また、十字キー６１は、本発明の「キー」の一例である。
【００３３】
ここで、本実施形態では、図３に示すように、リモコン装置６０の操作ボタンの数（合計５個）は、リモコン画像７０を構成する操作ボタン画像７５の数（後述する無効ボタン画像を含まない合計３３個）よりも少ない。したがって、リモコン装置６０を用いてリモコン画像７０を操作する手順としては、まず、ユーザは、十字キー６１の各操作ボタン６１ａ〜６１ｄを適宜押下しながらリモコン画像７０内の操作ボタン画像７５間を移動して所望の操作ボタン画像７５を選択する。そして、選択された操作ボタン画像７５に対応した機器操作を実行させることを決定すべく決定ボタン６２を押下する。具体例を挙げると、たとえば、図３に示すように、音量を変更したい場合には、十字キー６１を操作して音量増加ボタン画像７２ａを選択し、音量増加ボタン画像７２ａが選択された位置で決定ボタン６２を押下する。また、決定ボタン６２を押下した回数に応じてスピーカ部１２（図１参照）から出力される音量が段階的に増加されるように構成されている。このように、十字キー６１の操作と決定ボタン６２の操作とによって、テレビジョン装置１００に対する１つの機器操作が完結されるように構成されている。
【００３４】
また、上記のように十字キー６１の各操作ボタン６１ａ〜６１ｄを適宜押下しながら操作ボタン画像７５間を移動する際、現在選択されている操作ボタン画像７５の表示色が、選択されていない操作ボタン画像７５の表示色とは異なる色で表示（点滅表示）されるように構成されている。たとえば、選択されていない操作ボタン画像７５の表示色が灰色であるのに対して、現在選択されている操作ボタン画像７５の表示色を鮮やかな赤色に変更して点滅表示させるのが好ましい。これにより、手元の十字キー６１の操作がリモコン画像７０の操作に連動する状況がユーザによって視認可能となる。また、選択中の操作ボタン画像７５がリモコン画像７０の中では一際目立つ状態で表示されるので、ユーザが操作内容を見失うことが抑制される。なお、図３においては、表示態様の一例として、音量増加ボタン画像７２ａが選択されて点滅表示（赤色点滅）されている状態を示している。
【００３５】
また、音量増加ボタン画像７２ａが赤色点滅している状態で、ユーザがリモコン装置６０の決定ボタン６２を押下することにより、音量増加ボタン画像７２ａは赤色点滅の状態から青色点灯の状態に変更されるように構成されている。また、音量増加ボタン画像７２ａの操作において決定ボタン６２を連続的に押下する（連打する）間は、青色点灯の状態も継続される。これにより、現在選択されている操作ボタン画像７５（音量増加ボタン画像７２ａ）に対応する機器操作が実際に実行される状況が、決定ボタン６２の押下操作とともにリモコン画像７０に反映されるように構成されている。
【００３６】
また、本実施形態では、上記したリモコン装置６０による機器操作は、テレビジョン装置１００のみならず、テレビジョン装置１００に接続されているＤＶＤプレーヤ２００（図１参照）などの外部機器に対しても行うことが可能に構成されている。すなわち、図２に示すように、テレビジョン装置１００とＤＶＤプレーヤ２００とが接続ケーブル４１を介して互いに接続されているので、操作対象機器がテレビジョン装置１００（装置本体１０）からＤＶＤプレーヤ２００に切り変えられた場合には、制御部２７の指令に基づいてＤＶＤプレーヤ２００に対する機器操作が実行可能となるように構成されている。
【００３７】
具体的には、図３に示すように、リモコン装置６０によってリモコン画像７０内の入力切換ボタン画像７４が選択されてかつ押下される操作が行われた場合、リモコン画像７０は、以降のリモコン装置６０による機器操作がＤＶＤプレーヤ２００（図１参照）に対して行われることを意図した表示内容に切り換えられる。すなわち、図３のようにテレビジョン装置１００に対してのみ有効な操作ボタン画像７５（合計３３個）からなるリモコン画像７０が表示されていた状態が、入力切換ボタン画像７４の押下とともに、図４のようにＤＶＤプレーヤ２００に対してのみ有効な操作ボタン画像７５（合計２４個）からなるリモコン画像７０が表示される状態に遷移される。なお、操作対象機器がＤＶＤプレーヤ２００になった場合においても、リモコン装置６０の操作ボタンの数（合計５個）は、操作ボタン画像７５の数（合計２４個）よりも少ない。
【００３８】
また、図３に示すように、操作対象機器がテレビジョン装置１００の場合には、操作ボタン画像７５のうち、ＤＶＤに収録されている映像コンテンツの再生操作に関連する複数のボタン画像（無効ボタン）７６は、表示色が弱められた状態（薄い灰色表示）でかつ十字キー６１を移動させても各々のボタン画像７６を選択することが不可能な状態に設定されている。これに対して、図４に示すように、操作対象機器がＤＶＤプレーヤ２００の場合には、操作ボタン画像７５のうち、チャンネル選局に関連するボタン画像（無効ボタン）７７が、薄い灰色で表示されるとともに十字キー６１による選択も不可能な状態となる。
【００３９】
このように、本実施形態では、電子機器の動作内容に応じて（操作対象機器がテレビジョン装置１００であるかＤＶＤプレーヤ２００であるかによって）、リモコン画像７０に含まれる複数の操作ボタン画像７５のうちの操作対象機器に対応した機器操作が有効な操作ボタン画像７５のみが、リモコン装置６０（十字キー６１および決定ボタン６２）により操作可能となるように表示部１１に表示されるように構成されている。
【００４０】
また、本実施形態では、表示部１１に映像のみが表示されている状態において、図１に示すように、リモコン装置６０の十字キー６１または決定ボタン６２が１回だけ押下された場合に、リモコン画像７０の表示部１１への表示が開始されるように構成されている。すなわち、テレビ番組の視聴中にユーザがテレビジョン装置１００に対する何らかの機器操作を行いたい場合、十字キー６１または決定ボタン６２を１回だけ押下することでリモコン画像７０が表示されてリモコン装置６０からの機器操作が受付可能になるように構成されている。同様に、ＤＶＤに収録された映像コンテンツの視聴中にユーザがＤＶＤプレーヤ２００に対する何らかの機器操作を行いたい場合にも、十字キー６１または決定ボタン６２を１回だけ押下することでＤＶＤプレーヤ２００の操作に対応したリモコン画像７０が表示されるように構成されている。
【００４１】
また、本実施形態では、リモコン装置６０による機器操作において、所定の操作ボタン画像７５を選択して決定ボタン６２を押下した場合、操作ボタン画像７５に対応する機器操作が実際に実行されるとともに、所定時間（たとえば１５秒間）経過後に、表示部１１におけるリモコン画像７０の表示が終了されるように構成されている。したがって、１つの機器操作の完了とともに所定時間経過後にリモコン画像７０が表示部１１から消されるように構成されている。なお、１つの機器操作の実行に先立って、選択されていた直前の操作ボタン画像７５の内容（操作内容）がメモリ部２８（図２参照）に記憶されるように構成されている。
【００４２】
また、本実施形態では、リモコン画像７０の表示部１１への表示方法に関して、次のような特徴点を有している。
【００４３】
具体的には、図１および図５に示すように、表示部１１に映像のみが表示されている状態においてリモコン装置６０（図１参照）の十字キー６１または決定ボタン６２が押下された際、リモコン画像７０は、表示部１１に表示されている映像画像のうちの映像の動きが相対的に少ない領域Ｓに優先的に表示されるように構成されている。言い換えると、リモコン画像７０は、映像の動きが相対的に多い領域Ｖには表示されない。
【００４４】
すなわち、リモコン画像７０が表示される際、表示部１１に表示中の映像画像（映像データ）のうち、相対的に画素の色の変化の少ない領域Ｓがどの部分であるかが制御部２７により判断される。そして、制御部２７により特定された映像の動きの少ない領域Ｓに、リモコン画像７０が表示される制御が行われるように構成されている。なお、図１に示す映像画像においては、波立つ海面が表示されている領域Ｖが映像の動きが相対的に多く、砂浜、海岸線を構成する地形および空が表示されている領域Ｓが映像の動きが相対的に少ないものとする。この場合、リモコン画像７０は、たとえば、領域Ｓ内における位置Ｐ（画面内における右上の領域周辺）に縦置きの表示状態で表示される。また、リモコン画像７０は、位置Ｐにおいて領域Ｓの縦方向の幅Ｌ１に収まるように表示サイズ（リモコン画像７０の表示縮尺率）が自動的に調整されるように構成されている。したがって、リモコン画像７０の一部分が領域Ｓから領域Ｖにはみ出さない。このように、リモコン画像７０は領域Ｓにのみ表示されるので、リモコン画像７０によって映像画像中の動きの多い部分（領域Ｖ）が故意に遮られてしまうことが抑制されるように構成されている。
【００４５】
また、映像画像が時々刻々変化する（遷移する）場合においても、リモコン画像７０は、映像の遷移に伴って遷移される領域Ｓ（映像画像中の動きが相対的に少ない部分）の形状に追従して表示部１１に表示され続けるように構成されている。
【００４６】
たとえば、図１に示した状態において海上を航行する船舶が画面の右端から出現したとする。この場合、映像は、図５に示した状態へと遷移する。この際、船舶が現われることによってそれまで領域Ｓとして認識されていた部分が船舶の出現に伴って映像に顕著な動きが生じる領域Ｖへと遷移される。すなわち、図１における位置Ｐおいては幅Ｌ１であった領域Ｓが、図５においては幅Ｌ２（Ｌ１＞Ｌ２）へと遷移（縮小）される。このような場合、リモコン画像７０は、同じ位置Ｐにおいて、図１に表示されていた表示サイズから、図５に示されるような表示サイズへと変更（縮小表示）されるように構成されている。なお、図５に表示されたリモコン画像７０は、視認可能な縮尺率の範囲内で縮小表示されるように構成されている。これにより、シーンがどのように移り変わったとしても、リモコン画像７０が常に映像の動きの少ない領域Ｓに表示されるので、ユーザは、視聴時の質を極力落とすことなく映像を視聴することが可能となる。加えて、視聴時の質を極力落とすことなくリモコン画像７０を介した機器操作を行うことも可能になる。
【００４７】
さらに、本実施形態では、リモコン画像７０は、上述した領域Ｓの形状に応じて、この領域Ｓ内に収まるように表示の向き（縦置き表示状態または横置き表示状態）も変更されるように構成されている。
【００４８】
たとえば、映像が図５に示された状態から、図６に示された状態へとさらに遷移する場合がある。すなわち、図５において画面の右端から出現した船舶が徐々に手前に接近してきたとする。したがって、船舶の周辺の領域Ｖの範囲が拡大されるとともに、位置Ｐにおける領域Ｓの縦方向の幅がＬ２からＬ３（Ｌ２＞Ｌ３）へとさらに狭められる。そして、制御部２７により、図５のように縦置き表示状態ではリモコン画像７０の縮尺率（縮小率）があまりにも小さくなり過ぎて高精細に表示することが不可能であると判断された場合には、図６に示されるように、リモコン画像７０は、位置Ｐにおいて表示の向きを９０度だけ変更した状態（横置き表示状態）で表示されるように構成されている。これにより、リモコン画像７０の大きさが過度に小さくなることなく、位置Ｐにおける領域Ｓの形状（幅Ｌ３）に合わせて視認可能に表示される。また、表示の向きが変更される際、リモコン画像７０内の操作ボタン画像７５の向きも調整される。これにより、リモコン画像７０の表示方向（縦横方向）が変更されたとしても、各操作ボタン画像７５は、上下が揃えられた状態で表示される。
【００４９】
なお、図１から図５へのリモコン画像７０の表示の遷移、および、図５から図６へのリモコン画像７０の表示の遷移は、一例にすぎない。すなわち、制御部２７により、映像の遷移状況に応じてリモコン画像７０の表示方法（大きさ、向きおよび表示位置）は適宜変更される。たとえば、図１、図５および図６においては、リモコン画像７０が画面の左隅に縦置き状態で表示されてもよい。このようにして、テレビジョン装置１００は構成されている。
【００５０】
次に、図１〜図３および図５〜図７を参照して、本実施形態によるリモコン装置６０を用いてテレビジョン装置１００を操作する際の制御部２７の処理フローについて説明する。なお、以下の説明では、処理フローの一例として、ユーザが表示部１１に表示中のテレビ番組などの映像を視聴する際に、リモコン装置６０による機器操作が行われる際の装置本体１０の制御動作を記載する。
【００５１】
まず、ステップＳ１では、図７に示すように、制御部２７（図２参照）により、リモコン装置６０（図２参照）の十字キー６１（図２参照）または決定ボタン６２（図２参照）が押下されたか否かが判断されるとともに、十字キー６１または決定ボタン６２が押下されたと判断されるまでこの処理が繰り返される。すなわち、装置本体１０（図１参照）においては、リモコン装置６０（送信部６３）からの十字キー６１または決定ボタン６２に対応する操作信号（赤外線信号）を操作信号受信部２９（図２参照）が受信するまでこの判断が繰り返される。
【００５２】
ステップＳ１において、リモコン装置６０の十字キー６１または決定ボタン６２が押下されたと判断された（制御部２７により、送信部６３からの十字キー６１または決定ボタン６２に対応する制御信号を操作信号受信部２９が受信したと判断された）場合、ステップＳ２では、リモコン画像７０（図１参照）を表示部１１（図１参照）に表示する制御が行われる。
【００５３】
ここで、本実施形態では、制御部２７により、表示部１１に表示されている映像画像のうちの映像の動きが相対的に少ない領域Ｓ（図１参照）がどの部分であるかが判断されるとともに、制御部２７により特定された映像の動きの少ない領域Ｓにリモコン画像７０がＯＳＤ表示される。すなわち、たとえば、図１に示されるように、リモコン画像７０は、波立つ海面が表示されている領域Ｖを避けて画素の色の変化（動き）の少ない領域Ｓに表示される。
【００５４】
そして、ステップＳ３では、所定時間（たとえば１５秒間）内に十字キー６１が押下されたか否かが判断される。すなわち、制御部２７により、所定時間内にリモコン装置６０からの十字キー６１に対応する操作信号を操作信号受信部２９が受信したか否かが判断される。ステップＳ３において、所定時間内に十字キー６１が押下されていない（ユーザによりリモコン操作が行われていない）と判断された場合（「Ｎｏ」判定の場合）、制御フローはステップＳ９に移行される。ステップＳ９では、制御部２７により、リモコン画像７０の表示が表示部１１から消される制御が行われて本制御は終了される。
【００５５】
また、ステップＳ３において、所定時間内に十字キー６１が押下された（ユーザによりリモコン操作が行われた）と判断された場合（「Ｙｅｓ」判定の場合）、ステップＳ４では、制御部２７により、十字キー６１の操作内容に連動するようにリモコン画像７０の表示態様を変更する制御が行われる。すなわち、図３に示すように、ユーザによって十字キー６１を構成する操作ボタン６１ａ〜６１ｄのいずれかが押下されるたびに、リモコン画像７０においては、現在選択されている操作ボタン画像７５（音量増加ボタン画像７２ａ）の表示色が、選択されていない操作ボタン画像７５の表示色（灰色）と異なる色（鮮やかな赤色）で点滅表示される。
【００５６】
そして、ステップＳ５では、制御部２７により、所定時間（たとえば１５秒間）内に、決定ボタン６２が押下されたか否かが判断される。すなわち、制御部２７により、所定時間内にリモコン装置６０からの決定ボタン６２に対応する操作信号を操作信号受信部２９が受信したか否かが判断される。ステップＳ５において、所定時間内に決定ボタン６２が押下されていない（ユーザによりリモコン操作が行われていない）と判断された場合（「Ｎｏ」判定の場合）、制御フローはステップＳ９に移行される。ステップＳ９では、制御部２７により、リモコン画像７０の表示が表示部１１から消される制御が行われて本制御は終了される。
【００５７】
また、ステップＳ５において、所定時間内に決定ボタン６２が押下された（ユーザによりリモコン操作が行われた）と判断された場合（「Ｙｅｓ」判定の場合）、ステップＳ６では、制御部２７により、決定ボタン６２を押下するために選択されていた直前の操作ボタン画像７５の内容（操作内容）が、メモリ部２８（図２参照）に記憶される。そして、ステップＳ７において、制御部２７により、決定ボタン６２の操作内容に対応する機器操作が装置本体１０に対して実行される制御が行われる。また、この際、リモコン画像７０においては、実行された操作ボタン画像７５（音量増加ボタン画像７２ａ）の表示色が、赤色点滅の状態から青色点灯の状態に切り換えられる。
【００５８】
その後、制御フローは、上述のステップＳ３に戻されて、以降、同様の処理が繰り返えされる。また、上記した制御フロー（ステップＳ１〜Ｓ８）が一旦終了されても、制御部２７により、常にステップＳ１の判断が行われる。
【００５９】
なお、上記したステップＳ２の制御内容については、リモコン画像７０が表示部１１に表示されている状態においては他の制御ステップと並行して行われる。すなわち、リモコン画像７０が表示部１１に表示されている際に、映像画像が時々刻々変化する（遷移する）場合においても、リモコン画像７０は、映像の遷移に伴って遷移される領域Ｓ（映像画像中の動きが相対的に少ない部分）の形状に追従して表示部１１に表示され続ける。この場合、リモコン画像７０は、図１および図５のように縦置き表示状態で表示される場合もあれば、図６のように横置き表示状態で表示される場合もある。
【００６０】
また、上記したステップＳ６では、制御部２７により、決定ボタン６２を押下するために選択されていた直前の操作ボタン画像７５の内容（操作内容）が、メモリ部２８に記憶される。したがって、ステップＳ２の制御動作が行われる際、１つ前の時点でのリモコン操作でメモリ部２８に記憶されていた操作ボタン画像７５の内容（操作内容）が存在する場合には、記憶されていた操作ボタン画像７５が、他の操作ボタン画像７５の表示色（灰色）とは異なった表示色（鮮やかな赤色）で表示されるようにリモコン画像７０が再び出現する。ユーザは、この赤色に表示された操作ボタン画像７５をリモコン操作の開始点として、十字キー６１（操作ボタン６１ａ〜６１ｄのいずれか）を押下しながら操作を再開することになる。
【００６１】
また、上記した制御フローは、テレビ番組の視聴中におけるテレビジョン装置１００に対するリモコン操作を例にとって説明しているが、たとえば、リモコン装置６０によって操作対象機器がテレビジョン装置１００からＤＶＤプレーヤ２００に切り換えられた場合においても同様の制御が行われる。ただし、ステップＳ７における機器操作の制御先がＤＶＤプレーヤ２００に対してのものに置き換えられる点が上記と異なる。
【００６２】
本実施形態では、上記のように、リモコン装置６０による機器操作がリモコン画像７０を介して装置本体１０に受付可能に構成されているとともに、リモコン装置６０の操作ボタンの数（５個）が、リモコン画像７０のボタン画像７１を構成する複数のボタン画像の数よりも少ないことによって、ユーザは、表示部１１に表示されるリモコン画像７０よりも操作ボタンの数が少なくされたリモコン装置６０を用いて、テレビジョン装置１００に対する様々な機器操作を行うことができる。これにより、リモコン装置６０によりリモコン画像７０を介して機器操作を行う場合においても、リモコン装置６０の操作性を向上させることができる。また、操作ボタンの数（５個）が少なくなる分、リモコン装置６０の構造が簡素化されるとともにリモコン装置６０の小型化を図ることができる。
【００６３】
また、本実施形態では、リモコン装置６０を、リモコン画像７０内の複数の操作ボタン画像７５間を移動して１つの操作ボタン画像７５を選択可能な十字キー６１としての操作ボタン６１ａ〜６１ｄと、選択された操作ボタン画像７５に対応した機器操作の実行を決定する決定ボタン６２とによって構成する。そして、操作ボタン６１ａ〜６１ｄが十字状に配置された十字キー６１と、十字キー６１の中央（中心）部に配置された決定ボタン６２とによって、リモコン装置６０による機器操作が受け付けられるように構成されている。これにより、所定の機器操作を行う際のリモコン装置６０の操作内容を、十字キー６１（操作ボタン６１ａ〜６１ｄ）を用いて選択先を縦横に移動しながらリモコン画像７０内の所定の操作ボタン画像７５を探す操作と、決定ボタン６２を用いて選択された操作ボタン画像７５に対応する実際の機器操作を実行させるための操作との２種類の操作のみに限定することができる。この結果、２種類の操作以外の操作を行う必要がないので、リモコン装置６０の操作性を著しく向上させることができる。
【００６４】
また、本実施形態では、操作ボタン６１ａ〜６１ｄは、複数の操作ボタン画像７５の選択先をリモコン画像７０内で縦横に移動させることが可能な十字キー６１であり、十字キー６１により選択された操作ボタン画像７５に対する決定ボタン６２の押下に基づいて、リモコン装置６０による機器操作が完結されるように構成されている。これにより、十字キー６１を用いてリモコン画像７０内の所定の操作ボタン画像７５を探す操作が円滑に行われ、かつ、選択された操作ボタン画像７５に対する決定ボタン６２の押下に基づいて１つの機器操作を完結させることができる。すなわち、十字キー６１の操作と決定ボタン６２の押下操作との簡単な組み合わせによって１つの機器操作が行われているので、リモコン操作に不慣れなユーザにとっても、使いやすいリモコン装置６０を提供することができる。
【００６５】
また、本実施形態では、制御部２７を、決定ボタン６２が押下されたことに基づいて、リモコン画像７０の表示部１１における表示を終了する制御を行うように構成する。これにより、決定ボタン６２が押下されて所定の機器操作がテレビジョン装置１００に対して実行された後は、表示部１１からリモコン画像７０がいち早く消されるので、ユーザは、映像を快適に視聴することができる。また、リモコン画像７０が消えることにより、ユーザは、所定の機器操作が実行されたことを容易に認識することができる。
【００６６】
また、本実施形態では、制御部２７を、リモコン装置６０の十字キー６１（操作ボタン６１ａ〜６１ｄ）または決定ボタン６２のいずれかが押下されたことに基づいて、リモコン画像７０を表示部１１に表示してリモコン装置６０による機器操作を受付可能な状態に移行させる制御を行うように構成する。これにより、リモコン装置６０による機器操作を開始する際に、十字キー６１または決定ボタン６２の限られた数の操作ボタンを有効に利用してリモコン画像７０を表示部１１に表示させることができる。また、ユーザにとっても、十字キー６１（操作ボタン６１ａ〜６１ｄ）または決定ボタン６２のいずれかの押下が、リモコン画像７０を表示させるトリガ操作であることを容易に受け入れて、後々反復することができる。
【００６７】
また、本実施形態では、制御部２７を、表示部１１の映像の動きが相対的に少ない領域Ｓにリモコン画像７０を表示させる制御を行うように構成することによって、リモコン画像７０を介して機器操作を行う際、ユーザは、映像の視聴に極力支障を来たすことなく機器操作を遂行することができる。
【００６８】
また、本実施形態では、制御部２７を、映像の遷移に伴い遷移される表示部１１の映像の動きが相対的に少ない領域Ｓ内にリモコン画像７０が表示されるように、リモコン画像７０の表示位置を移動させる制御を行うように構成する。これにより、映像内容が時間経過とともに遷移する場合においても、常に、映像の視聴に極力支障を来たさない領域にリモコン画像７０を表示させることができるので、ユーザは、映像の快適な視聴を継続的に維持しながら機器操作を行うことができる。
【００６９】
また、本実施形態では、制御部２７を、表示部１１の映像の動きが相対的に少ない領域Ｓの形状に応じてこの領域内にリモコン画像７０が収まるように、リモコン画像７０の向きを変更し、かつ、リモコン画像７０の縮尺率を調整して表示部１１に表示させる制御を行うように構成する。これにより、リモコン画像７０が表示部１１の映像の動きが相対的に少ない領域Ｓから相対的に多い領域Ｖにまではみ出した状態で表示されることを容易に抑制することができるので、映像の快適な視聴を損ねることなく機器操作を遂行することができる。
【００７０】
また、本実施形態では、制御部２７を、操作対象機器がテレビジョン装置１００の場合かＤＶＤプレーヤ２００の場合かに応じて、リモコン画像７０に含まれる複数の操作ボタン画像７５のうちの機器操作が有効な操作ボタン画像７５を十字キー６１および決定ボタン６２により操作可能に表示部１１に表示させる制御を行うように構成する。これにより、リモコン装置６０を用いて機器操作の有効な複数の操作ボタン画像７５のみを操作することができるので、テレビジョン装置１００またはＤＶＤプレーヤ２００に対して無効な機器操作が行われる状況を容易に排除することができる。
【００７１】
また、本実施形態では、制御部２７を、ＤＶＤプレーヤ２００などの外部機器が接続された場合に外部機器に対応するリモコン画像７０を表示部１１に表示させる制御を行うように構成するとともに、リモコン装置６０により、接続されたＤＶＤプレーヤ２００などの外部機器に対応するリモコン画像７０を介して外部機器に対する機器操作が受付可能に構成している。これにより、装置構成が簡素化されたリモコン装置６０を用いて、このテレビジョン装置１００に接続されるＤＶＤプレーヤ２００などの外部機器に対する機器操作も行うことができる。すなわち、テレビジョン装置１００やＤＶＤプレーヤ２００などの複数の操作対象機器に対してリモコン装置６０を共通に用いることができるので、ユーザの利便性を図ることができる。
【００７２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７３】
たとえば、上記実施形態では、リモコン装置６０における十字キー６１が上方向操作ボタン６１ａ、下方向操作ボタン６１ｂ、右方向操作ボタン６１ｃおよび左方向操作ボタン６１ｄの４つの独立した操作ボタンからなる例について示したが、本発明はこれに限られない。本発明では、各操作ボタン６１ａ〜６１ｄが一体的に形成された１つの十字キーであってもよい。すなわち、十字キーを上下左右の４つの方向に倒す操作によって選択先を縦横に移動して所定の操作ボタン画像７５が選択されるように構成されていてもよい。また、この場合、十字キーを垂直に押下することによって、選択された操作ボタン画像７５に対応した機器操作の実行を決定する機能を兼ねるように構成してもよい。これにより、さらに操作ボタンの数を減らすことができるので、リモコン装置６０の操作性をより向上させることができる。
【００７４】
また、上記実施形態では、ＤＶＤプレーヤ２００が本発明の「外部機器」として装置本体１０に接続されるように構成した例について示したが、本発明はこれに限られない。本発明では、ＤＶＤプレーヤ２００以外の、たとえば、ＢＤプレーヤ、ＤＶＤレコーダ、ＨＤＤレコーダ、ＳＴＢ（セットトップボックス）またはＡＶアンプ機器などがテレビジョン装置１００に個別または並列に接続されていてもよい。ＤＶＤプレーヤ２００を操作した場合と同様に、本発明のリモコン装置を用いて、各々の外部機器に対応するリモコン画像を介して、テレビジョン装置１００に接続された外部機器に対する機器操作を行うことが可能である。
【００７５】
また、上記実施形態では、テレビジョン装置１００に本発明を適用した例について示したが、本発明はこれに限られない。本発明では、映像を表示する表示部を備えるＰＣ（パーソナルコンピュータ）機器に対して機器操作を行うような場合にも、本発明のリモコン装置を適用することが可能である。
【００７６】
また、上記実施形態では、テレビジョン装置１００にＤＶＤプレーヤ２００が外部接続された場合に、操作対象機器がテレビジョン装置１００であるかＤＶＤプレーヤ２００であるかによって、リモコン画像７０に含まれる複数の操作ボタン画像７５のうちの操作対象機器に対応した機器操作が有効な操作ボタン画像７５のみがリモコン装置６０により操作可能となるように構成した例について示したが、本発明はこれに限られない。本発明では、記録媒体に記録されたコンテンツの再生機能が付加されたテレビジョン装置において、このテレビジョン装置がテレビ番組の受信装置として動作される場合、または、このテレビジョン装置がコンテンツの再生装置として動作される場合に応じて、各々の動作内容に有効な操作ボタン画像７５のみがリモコン画像７０において操作可能であるように構成してもよい。
【００７７】
また、上記実施形態では、リモコン装置６０の操作ボタン６１ａ〜６１ｄまたは決定ボタン６２のいずれかが押下されたことに基づいてリモコン画像７０が表示部１１に表示されるように構成した例について示したが、本発明はこれに限られない。本発明では、リモコン装置６０内に加速度センサまたは傾きセンサなどを設けておき、表示部１１に映像のみが表示されている状態において、ユーザがリモコン装置６０を把持して所定の方向に軽く振った場合に、リモコン画像７０が表示部１１に表示されるように構成してもよい。
【００７８】
また、上記実施形態では、映像の遷移に伴い遷移される表示部１１の映像の動きが相対的に少ない領域Ｓ内にリモコン画像７０が表示されるように、リモコン画像７０の表示位置を移動させる制御を行うように構成した例について示したが、本発明はこれに限られない。本発明では、ユーザがリモコン装置６０を使用してリモコン画像７０を擬似的に操作する最中においては、映像が遷移したとしてもリモコン画像７０の表示態様を映像の遷移に追従させて変更しないように構成してもよい。映像の遷移に伴ってリモコン画像７０の表示位置、大きさおよび向きが頻繁に変更されると、ユーザはリモコン画像７０の表示態様に気を取られてしまい、リモコン装置６０によるリモコン画像７０を介したリモコン操作自体が煩雑となる虞もある。ただし、動きのある映像を確実に視聴すること（快適な映像の視聴）に重点を置く場合には、上記実施形態のように映像の遷移に伴って常にリモコン画像７０の表示態様を変更する制御を行うように構成することが好ましい。
【００７９】
また、上記実施形態では、説明の便宜上、リモコン装置６０を用いてテレビジョン装置１００を操作する際の制御部２７の制御処理を、処理フローに沿って順番に処理を行うフロー駆動型のフローチャートを用いて説明したが、本発明はこれに限られない。本発明では、制御部２７の制御処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８０】
１１  表示部
２７  制御部
６０  リモコン装置
６１  十字キー（キー、第１操作ボタン、選択ボタン）
６１ａ  上方向操作ボタン（第１操作ボタン、選択ボタン）
６１ｂ  下方向操作ボタン（第１操作ボタン、選択ボタン）
６１ｃ  右方向操作ボタン（第１操作ボタン、選択ボタン）
６１ｄ  左方向操作ボタン（第１操作ボタン、選択ボタン）
６２  決定ボタン（第１操作ボタン）
７０  リモコン画像
７５  操作ボタン画像（第２操作ボタン画像）
１００  テレビジョン装置（リモコン操作可能な電子機器）
２００  ＢＤレコーダ（外部機器）
Ｓ  領域（表示部の映像の動きが相対的に少ない領域）
【図１】
2013243569.tif 000003
【図２】
2013243569.tif 000004
【図３】
2013243569.tif 000005
【図４】
2013243569.tif 000006
【図５】
2013243569.tif 000007
【図６】
2013243569.tif 000008
【図７】
2013243569.tif 000009